(57)【要約】  この開示の態様では、方法、コンピュータ読取可能な媒体、および装置が提供される。装置は、第１のサブフレームにおいて、第１のＳＡ情報を送信するように構成される。装置はさらに、第１のサブフレームにおいて、第１のデータを送信するように構成される。装置は、第２のサブフレームにおいて、第２のＳＡ情報を送信するように構成される。装置はまた、第２のサブフレームにおいて、第２のデータを送信するように構成される。第１のＳＡ情報は、第１のデータおよび第２のデータに関する情報を含む。第２のＳＡ情報は、第２のデータに関する情報を含む。
2018537055.tif 000002
【特許請求の範囲】
【請求項１】
ワイヤレス通信の方法であって、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を備え、
ここにおいて、前記第１のＳＡ情報は、前記第１のデータおよび前記第２のデータに関する情報を含み、
前記第２のＳＡ情報は、前記第２のデータに関する情報を含む、方法。
【請求項２】
第３のサブフレームにおいて、第３のＳＡ情報を送信することと、
前記第３のサブフレームにおいて、第３のデータを送信することと、
第４のサブフレームにおいて、第４のＳＡ情報を送信することと、
前記第４のサブフレームにおいて、第４のデータを送信することと
をさらに備え、
ここにおいて、前記第１のＳＡ情報はさらに、前記第３のデータおよび前記第４のデータに関する情報を含み、
前記第２のＳＡ情報はさらに、前記第３のデータおよび前記第４のデータに関する情報を含み、
前記第３のＳＡ情報は、前記第３のデータおよび前記第４のデータに関する情報を含み、
前記第４のＳＡ情報は、前記第４のデータに関する情報を含む、請求項１に記載の方法。
【請求項３】
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第２の周波数、前記第２のデータのロケーション、前記第２のデータの変調、または、前記第２のデータのコーディングスキームのうちの少なくとも１つを含む、請求項１に記載の方法。
【請求項４】
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、請求項１に記載の方法。
【請求項５】
前記第１のＳＡ情報または前記第２のＳＡ情報のうちの少なくとも１つのための時間スロットをランダムに選択することをさらに備える、請求項１に記載の方法。
【請求項６】
前記第２のデータは、前記第１のデータのインクリメント冗長である、請求項１に記載の方法。
【請求項７】
前記第２のデータは、前記第１のデータの冗長コピーである、請求項１に記載の方法。
【請求項８】
前記第１のＳＡ情報はさらに、前記第１のＳＡ情報の現在の送信番号のインジケータを含み、前記第２のＳＡ情報はさらに、前記第２のＳＡ情報の現在の送信番号のインジケータを含む、請求項１に記載の方法。
【請求項９】
前記第１のＳＡ情報はさらに、第１のタイミング情報を含み、前記第２のＳＡ情報はさらに、第２のタイミング情報を含む、請求項１に記載の方法。
【請求項１０】
前記第１のタイミング情報は、第１のシステムフレーム番号（ＳＦＮ）を備え、前記第２のタイミング情報は、第２のＳＦＮを備える、請求項９に記載の方法。
【請求項１１】
ワイヤレス通信のための装置であって、
第１のサブフレームにおいて、第１のスケジューリング割当（ＳＡ）情報を送信するための手段と、
前記第１のサブフレームにおいて、第１のデータを送信するための手段と、
第２のサブフレームにおいて、第２のＳＡ情報を送信するための手段と、
前記第２のサブフレームにおいて、第２のデータを送信するための手段と
を備え、
ここにおいて、前記第１のＳＡ情報は、前記第１のデータおよび前記第２のデータに関する情報を含み、
前記第２のＳＡ情報は、前記第２のデータに関する情報を含む、装置。
【請求項１２】
第３のサブフレームにおいて、第３のＳＡ情報を送信するための手段と、
前記第３のサブフレームにおいて、第３のデータを送信するための手段と、
第４のサブフレームにおいて、第４のＳＡ情報を送信するための手段と、
前記第４のサブフレームにおいて、第４のデータを送信するための手段と
をさらに備え、
ここにおいて、前記第１のＳＡ情報はさらに、前記第１のデータ、前記第２のデータ、前記第３のデータ、および前記第４のデータに関する情報を含み、
前記第２のＳＡ情報はさらに、前記第２のデータ、前記第３のデータ、および前記第４のデータに関する情報を含み、
前記第３のＳＡ情報は、前記第３のデータおよび前記第４のデータに関する情報を含み、
前記第４のＳＡ情報は、前記第４のデータに関する情報を含む、請求項１１に記載の装置。
【請求項１３】
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第１の周波数、前記第２のデータのロケーション、前記第２のデータの変調、または、前記第２のデータのコーディングスキームのうちの少なくとも１つを含む、請求項１１に記載の装置。
【請求項１４】
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、請求項１１に記載の装置。
【請求項１５】
前記第１のＳＡ情報または前記第２のＳＡ情報のうちの少なくとも１つのための時間スロットをランダムに選択するための手段をさらに備える、請求項１１に記載の装置。
【請求項１６】
前記第２のデータは、前記第１のデータのインクリメント冗長である、請求項１１に記載の装置。
【請求項１７】
前記第２のデータは、前記第１のデータの冗長コピーである、請求項１１に記載の装置。
【請求項１８】
前記第１のＳＡ情報はさらに、前記第１のＳＡ情報の現在の送信番号のインジケータを含み、前記第２のＳＡ情報はさらに、前記第２のＳＡ情報送信の現在の送信番号のインジケータを含む、請求項１１に記載の装置。
【請求項１９】
前記第１のＳＡ情報はさらに、第１のタイミング情報を含み、前記第２のＳＡ情報はさらに、第２のタイミング情報を含む、請求項１１に記載の装置。
【請求項２０】
前記第１のタイミング情報は、第１のシステムフレーム番号（ＳＦＮ）を備え、前記第２のタイミング情報は、第２のＳＦＮを備える、請求項１９に記載の装置。
【請求項２１】
ワイヤレス通信のための装置であって、
メモリと、
前記メモリに結合され、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を行うように構成された少なくとも１つのプロセッサと
を備え、
ここにおいて、前記第１のＳＡ情報は、前記第１のデータおよび前記第２のデータに関する情報を含み、
前記第２のＳＡ情報は、前記第２のデータに関する情報を含む、装置。
【請求項２２】
前記少なくとも１つのプロセッサはさらに、
第３のサブフレームにおいて、第３のＳＡ情報を送信することと、
前記第３のサブフレームにおいて、第３のデータを送信することと、
第４のサブフレームにおいて、第４のＳＡ情報を送信することと、
前記第４のサブフレームにおいて、第４のデータを送信することと
を行うように構成され、
ここにおいて、前記第１のＳＡ情報はさらに、前記第１のデータ、前記第２のデータ、前記第３のデータ、および前記第４のデータに関する情報を含み、
前記第２のＳＡ情報はさらに、前記第２のデータ、前記第３のデータ、および前記第４のデータに関する情報を含み、
前記第３のＳＡ情報は、前記第３のデータおよび前記第４のデータに関する情報を含み、
前記第４のＳＡ情報は、前記第４のデータに関する情報を含む、請求項２１に記載の装置。
【請求項２３】
前記第１のＳＡ情報は、前記第１のデータが送信される第１の時間、前記第１のデータが送信される第１の周波数、前記第１のデータが送信される第１のロケーション、前記第１のデータの変調、前記第１のデータのコーディングスキーム、前記第２のデータの時間、前記第２のデータが送信される第２の周波数、前記第２のデータが送信される第２のロケーション、前記第２のデータの変調、または、前記第２のデータのコーディングスキームのうちの少なくとも１つを含む、請求項２１に記載の装置。
【請求項２４】
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、請求項２１に記載の装置。
【請求項２５】
前記少なくとも１つのプロセッサはさらに、前記第１のＳＡ情報または前記第２のＳＡ情報のうちの少なくとも１つのための時間スロットをランダムに選択するように構成される、請求項２１に記載の装置。
【請求項２６】
前記第２のデータは、前記第１のデータのインクリメント冗長である、請求項２１に記載の装置。
【請求項２７】
前記第２のデータは、前記第１のデータの冗長コピーである、請求項２１に記載の装置。
【請求項２８】
前記第１のＳＡ情報はさらに、前記第１のＳＡ情報の現在の送信番号のインジケータを含み、前記第２のＳＡ情報はさらに、前記第２のＳＡ情報送信の現在の送信番号のインジケータを含む、請求項２１に記載の装置。
【請求項２９】
前記第１のＳＡ情報はさらに、第１のタイミング情報を含み、前記第２のＳＡ情報はさらに、第２のタイミング情報を含む、請求項２１に記載の装置。
【請求項３０】
ワイヤレス通信のためのコンピュータ実行可能なコードを記憶するコンピュータ読取可能な媒体であって、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を行うためのコードを備え、
ここにおいて、前記第１のＳＡ情報は、前記第１のデータおよび前記第２のデータに関する情報を含み、
前記第２のＳＡ情報は、前記第２のデータに関する情報を含む、コンピュータ読取可能な媒体。
【発明の詳細な説明】
【関連出願の相互参照】
【０００１】
[0001]この出願は、２０１５年１１月４日出願の「LTE-D COMMUNICATIONS FOR V2X APPLICATION」と題された米国仮出願第６２／２５０，９３１号と、２０１６年８月２５日出願の「LTE-D COMMUNICATIONS FOR V2X APPLICATION」と題された米国特許出願第１５／２４７，７３９号との利益を主張し、これらは、これらの全体が本明細書において参照によって明確に組み込まれている。
【背景技術】
【０００２】
分野
[0002]本開示は、一般に、通信システムに関し、さらに詳しくは、スケジューリング割当およびデータ送信に関する。
【０００３】
背景技術
[0003]ワイヤレス通信システムは、テレフォニ（telephony）、ビデオ、データ、メッセージング、およびブロードキャストのような様々なテレコミュニケーションサービスを提供するために広く展開されている。ワイヤレス通信システムは、利用可能なシステムリソースを共有することによって、複数のユーザとの通信をサポートすることが可能な多元接続技術を適用し得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムを含む。
【０００４】
[0004]これら多元接続技術は、異種のワイヤレスデバイスが、市レベル、国レベル、地方レベル、および地球レベルでさえも通信することを可能にする共通のプロトコルを提供するために、様々なテレコミュニケーション規格に採用されている。テレコミュニケーション規格の例は、ロングタームエボリューション（ＬＴＥ（登録商標））である。ＬＴＥは、第３世代パートナーシッププロジェクト（３ＧＰＰ（登録商標））によって公布されたユニバーサルモバイルテレコミュニケーションシステム（ＵＭＴＳ）モバイル規格に対する拡張（enhancements）のセットである。ＬＴＥは、ダウンリンクにおけるＯＦＤＭＡ、アップリンクにおけるＳＣ−ＦＤＭＡ、および多入力多出力（ＭＩＭＯ）アンテナ技術を使用して、向上されたスペクトル効率、低減されたコスト、向上されたサービスによって、モバイルブロードバンドアクセスをサポートするために設計されている。しかしながら、モバイルブロードバンドアクセスに対する需要が増加し続けているので、ＬＴＥ技術におけるさらなる向上を求めるニーズが存在する。これら向上は、これら技術を適用する他の多元接続技術およびテレコミュニケーション規格に対しても適用可能であり得る。
【０００５】
[0005]ビークルツーエックス（Ｖ２Ｘ）アプリケーションのコンテキストでは、ビークル（vehicles）は、高い移動速度および／または密度（density）を有し得、それは、レガシー通信システムにおけるパフォーマンスを著しく低下させ得る。したがって、Ｖ２Ｘのための通信システムを修正することは、有利であり得る。
【発明の概要】
【０００６】
[0006]以下は、このような態様の基本的な理解を提供するために、１つまたは複数の態様の簡潔な概要を提示する。この概要は、考慮されるすべての態様の広範囲な外観ではなく、すべての態様の重要な要素または決定的な要素を特定することも、任意のまたはすべての態様の範囲を線引きする（delineate）ことも意図されていない。この概要の唯一の目的は、後に提示されるより詳細な説明に対する前置きとして、１つまたは複数の態様のいくつかの概念を、簡潔な形式で提示することである。
【０００７】
[0007]上記で議論されるように、Ｖ２Ｘアプリケーションのコンテキストでは、ビークルは、高い移動速度および／または密度を有し得、それは、レガシー通信システムを使用するＶ２Ｘ通信のパフォーマンスを著しく低下させ得る。パフォーマンスは、以下の理由によって、低下され得る。第１に、各Ｖ２Ｖ送信は、顕著な帯域内エミッション（in-band emissions）へ導き得る。第２に、スケジューリング割当（ＳＡ：scheduling assignment）送信における持続的な（persistent）干渉が、パフォーマンスの低下へ導き得る。いくつかのシステムでは、ＳＡ送信は、決定論的な（deterministic）ホッピングパターンを使用し得る。決定論的なホッピングパターンを使用することは、持続的な衝突へ導き得る。衝突は、２つ以上のＵＥが、同じ第１のＳＡリソースを選択し、第２の送信のためにも、同じリソース上で送信するであろうときである。この後、ＳＡが復号されることができないのであれば、データもまた復号されないことがある。
【０００８】
[0008]この開示の態様では、方法、コンピュータ読取可能な媒体、および装置が提供される。装置は、第１のサブフレームにおいて、第１のＳＡ情報を送信するように構成される。装置はさらに、第１のサブフレームにおいて、第１のデータを送信するように構成される。装置は、第２のサブフレームにおいて、第２のＳＡ情報を送信するように構成される。装置はまた、第２のサブフレームにおいて、第２のデータを送信するように構成される。第１のＳＡ情報は、第１のデータおよび第２のデータに関する情報を含む。第２のＳＡ情報は、第２のデータに関する情報を含む。
【０００９】
[0009]先述した目的および関連する目的の達成のために、１つまたは複数の態様は、以下に十分に説明され、特許請求の範囲において特に指摘されている特徴を備える。以下の説明および添付図面は、１つまたは複数の態様のある例示的な特徴を詳細に記述する。しかしながら、これら特徴は、様々な態様の原理が適用され得る様々な手法のうちの単にいくつかしか示しておらず、この説明は、このようなすべての態様およびそれらの等価物を含むことが意図されている。
【図面の簡単な説明】
【００１０】
【図１】[0010]図１は、ワイヤレス通信システムおよびアクセスネットワークの例を例示する図である。
【図２Ａ】[0011]図２Ａは、ＤＬフレーム構造のＬＴＥの例を例示する図である。
【図２Ｂ】図２Ｂは、ＤＬフレーム構造内のＤＬチャネルのＬＴＥの例を例示する図である。
【図２Ｃ】図２Ｃは、ＵＬフレーム構造のＬＴＥの例を例示する図である。
【図２Ｄ】図２Ｄは、ＵＬフレーム構造内のＵＬチャネルのＬＴＥの例を例示する図である。
【図３】[0012]図３は、アクセスネットワークにおけるエボルブドノードＢ（ｅＮＢ）およびユーザ機器（ＵＥ）の例を例示する図である。
【図４】[0013]図４は、デバイスツーデバイス通信システムの図である。
【図５】[0014]図５は、ライセンスされた帯域におけるＬＴＥ−Ｄトラフィック設計を例示する図である。
【図６】[0015]図６は、本明細書で説明されたシステムおよび方法に従って、同じサブフレームを使用して送信されるＳＡおよびデータの例を例示する図である。
【図７】[0016]図７は、ワイヤレス通信の方法のフローチャートである。
【図８】[0017]図８は、ワイヤレス通信の方法のフローチャートである。
【図９】[0018]図９は、典型的な装置における異なる手段／コンポーネント間のデータフローを例示する概念的なデータフロー図である。
【図１０】[0019]図１０は、処理システムを適用する装置のためのハードウェアインプリメンテーション（implementation）の例を例示する図である。
【詳細な説明】
【００１１】
[0020]添付図面に関連して以下に記述される詳細な説明は、様々な構成の説明として意図されており、本明細書に記述されている概念が実現され得る唯一の構成を表すことは意図されていない。詳細な説明は、様々な概念の完全な理解を提供することを目的とした具体的な詳細を含む。しかしながら、これら概念は、これら具体的な詳細なしで実現され得ることが当業者に明らかになるであろう。いくつかの事例では、周知の構成およびコンポーネントが、このような概念を曖昧にすることを避けるために、ブロック図形式で図示される。
【００１２】
[0021]テレコミュニケーションシステムのいくつかの態様が、様々な装置および方法に関して提示されるであろう。これら装置および方法は、以下の詳細な説明において説明され、様々なブロック、コンポーネント、回路、処理、アルゴリズム等（集合的に「要素」と称される）によって添付図面において例示されるであろう。これら要素は、電子ハードウェア、コンピュータソフトウェア、またはこれらの任意の組合せを使用してインプリメントされ（be implemented）得る。これら要素が、ハードウェアとしてまたはソフトウェアとしてインプリメントされるかどうかは、特定のアプリケーションと、システム全体に課せられる設計制約とに依存する。
【００１３】
[0022]例によって、要素、要素の任意の部分、または、要素の任意の組合せが、１つまたは複数のプロセッサを含む「処理システム」としてインプリメントされ得る。プロセッサの例は、マイクロプロセッサ、マイクロコントローラ、グラフィック処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲートロジック、ディスクリートハードウェア回路、および、この開示を通じて説明された様々な機能を実行するように構成された他の適切なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはこの他として称されようとも、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行可能ファイル（executables）、実行スレッド、プロシージャ、関数等を意味するように広く解釈されるものとする。
【００１４】
[0023]したがって、１つまたは複数の例示的な実施形態では、記述された機能は、ハードウェア、ソフトウェア、またはそれらの任意の組合せにおいてインプリメントされ得る。ソフトウェアにおいてインプリメントされる場合、これら機能は、１つまたは複数の命令またはコードとしてとして、コンピュータ読取可能な媒体上に記憶され得るか、または、コンピュータ読取可能な媒体上で符号化され得る。コンピュータ読取可能な媒体は、コンピュータ記憶媒体を含む。記憶媒体は、コンピュータによってアクセスされることができる任意の利用可能な媒体であり得る。限定ではなく例として、このようなコンピュータ読取可能な媒体は、ランダムアクセスメモリ（ＲＡＭ）、読取専用メモリ（ＲＯＭ）、電子的消去可能なプログラマブルＲＯＭ（ＥＥＰＲＯＭ（登録商標））、光ディスク記憶装置、磁気ディスク記憶装置、他の磁気記憶デバイス、前述のタイプのコンピュータ読取可能な媒体の組合せ、または、コンピュータによってアクセスされることができる命令またはデータ構造の形式で、コンピュータ実行可能なコードを記憶するために使用されることができる他の任意の媒体を備えることができる。
【００１５】
[0024]図１は、ワイヤレス通信システムおよびアクセスネットワーク１００の例を例示する図である。（ワイヤレス広域ネットワーク（ＷＷＡＮ）とも称される）ワイヤレス通信システムは、基地局１０２、ＵＥ１０４、およびエボルブドパケットコア（ＥＰＣ）１６０を含む。基地局１０２は、マクロセル（高電力セルラ基地局）、および／または、スモールセル（低電力セルラ基地局）を含み得る。マクロセルは、ｅＮＢを含む。スモールセルは、フェムトセル、ピクセル、およびマイクロセルを含む。
【００１６】
[0025]（集合的にエボルブドユニバーサルモバイルテレコミュニケーションシステム（ＵＭＴＳ）地上無線アクセス・ネットワーク（Ｅ−ＵＴＲＡＮ）として称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送、無線チャネル暗号化および解読、完全性保護（integrity protection）、ヘッダ圧縮、モビリティ制御機能（たとえば、ハンドオーバ、デュアル接続）、セル間干渉調整、接続セットアップおよびリリース、負荷分散、非アクセス階層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、位置決め（positioning）、および、警告メッセージの配信のうちの１つまたは複数を実行し得る。基地局１０２は、バックホールリンク１３４（たとえば、Ｘ２インターフェース）を介して互いに直接的または（たとえば、ＥＰＣ１６０を通して）間接的に通信し得る。バックホールリンク１３４は、ワイヤードまたはワイヤレスであり得る。
【００１７】
[0026]基地局１０２は、ＵＥ１０４とワイヤレスに通信し得る。基地局１０２の各々は、それぞれの地理的カバレッジエリア１１０ために通信カバレッジを提供し得る。オーバラップする地理的カバレッジエリア１１０が存在し得る。たとえば、スモールセル１０２’は、１つまたは複数のマクロ基地局１０２のカバレッジエリア１１０とオーバラップするカバレッジエリア１１０’を有し得る。スモールセルとマクロセルとの両方を含むネットワークは、ヘテロジニアスなネットワークとして知られ得る。ヘテロジニアスなネットワークはまた、ホームエボルブドノードＢ（ｅＮＢ）（ＨｅＮＢ）を含み得、それは、クローズド加入者グループ（ＣＳＧ）として知られている制限されたグループへサービスを提供し得る。基地局１０２とＵＥ１０４との間の通信リンク１２０は、ＵＥ１０４から基地局１０２へのアップリンク（ＵＬ）（逆方向リンクとしても称される）送信、および／または、基地局１０２からＵＥ１０４へのダウンリンク（ＤＬ）（順方向リンクとしても称される）送信を含み得る。通信リンク１２０は、空間多重化、ビームフォーミング、および／または、送信タイバーシティを含むＭＩＭＯアンテナ技術を使用し得る。通信リンクは、１つまたは複数のキャリアを通し得る。基地局１０２／ＵＥ１０４は、各方向における送信のために使用される最大で合計ＹｘＭＨｚ（ｘ個のコンポーネントキャリア）のキャリアアグリゲーションにおいて割り振られたキャリア毎に最大でＹＭＨｚ（たとえば、５、１０、１５、２０ＭＨｚ）帯域幅のスペクトルを使用し得る。これらキャリアは、互いに隣接することも、しないこともある。キャリアの割振りは、ＤＬおよびＵＬに関して非対称であり得る（たとえば、より多い、または、より少ないキャリアが、ＵＬのためよりも、ＤＬのために割り振られ得る）。コンポーネントキャリアは、１次コンポーネントキャリアおよび１つまたは複数の２次コンポーネントキャリアを含み得る。１次コンポーネントキャリアは、１次セル（ＰＣｅｌｌ）と称され得、２次コンポーネントキャリアは、２次セル（ＳＣｅｌｌ）と称され得る。
【００１８】
[0027]ワイヤレス通信システムはさらに、５ＧＨｚのアンライセンスの周波数スペクトルにおいて通信リンク１５４を経由してＷｉ−Ｆｉ局（ＳＴＡ）１５２と通信するＷｉ−Ｆｉアクセスポイント（ＡＰ）１５０を含み得る。アンライセンスの周波数スペクトルにおいて通信するとき、ＳＴＡ１５２／ＡＰ１５０は、チャネルが利用可能であるかどうかを決定するために、通信前に、クリアチャネル評価（ＣＣＡ）を実行し得る。
【００１９】
[0028]スモールセル１０２’は、ライセンスされたおよび／またはアンライセンスの周波数スペクトルにおいて動作し得る。アンライセンスの周波数スペクトルにおいて動作するとき、スモールセル１０２’は、ＬＴＥを適用し得、Ｗｉ−Ｆｉ  ＡＰ１５０によって使用されるものと同じ５ＧＨｚのアンライセンスの周波数スペクトルを使用し得る。アンライセンスの周波数スペクトルにおいてＬＴＥを適用するスモールセル１０２’は、アクセスネットワークへのカバレッジを増強し（boost）、および／または、アクセスネットワークの容量を増加させ得る。アンライセンスのスペクトルにおけるＬＴＥは、ＬＴＥアンライセンス（ＬＴＥ−Ｕ）、ライセンス支援アクセス（ＬＡＡ）、またはＭｕＬＴＥｆｉｒｅと称され得る。
【００２０】
[0029]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、および、パケットデータネットワーク（ＰＤＮ）ゲートウェイ１７２を含み得る。ＭＭＥ１６２は、ホーム加入者サーバ（ＨＳＳ）１７４と通信し得る。ＭＭＥ１６２は、ＵＥ１０４とＥＰＣ１６０との間のシグナリングを処理する制御ノードである。一般に、ＭＭＥ１６２は、ベアラおよび接続管理を提供する。すべてのユーザインターネットプロトコル（ＩＰ）パケットは、サービングゲートウェイ１６６を通して転送され、サービングゲートウェイ１６６自身は、ＰＤＮゲートウェイ１７２へ接続される。ＰＤＮゲートウェイ１７２は、ＵＥ  ＩＰアドレス割振りのみならず、他の機能をも提供する。ＰＤＮゲートウェイ１７２およびＢＭ−ＳＣ１７０は、ＩＰサービス１７６へ接続される。ＩＰサービス１７６は、インターネット、イントラネット、ＩＰマルチメディアサブシステム（ＩＭＳ）、ＰＳストリーミングサービス（ＰＳＳ）、および／または、他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしてサービス提供し得、地上波公共移動通信ネットワーク（ＰＬＭＮ）内のＭＢＭＳベアラサービスを許可および開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２へＭＢＭＳトラフィックを配信する（distribute）ために使用され得、セッション管理（開始／停止）と、ｅＭＢＭＳ関連課金情報を収集することを担当し得る。
【００２１】
[0030]基地局はまた、ノードＢ、エボルブドノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または他のいくつかの適切な用語として称され得る。基地局１０２は、ＵＥ１０４のために、ＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星無線機、全地球測位システム、マルチメディアデバイス、ビデオデバイス、デジタルオーディオプレーヤ（たとえば、ＭＰ３プレーヤ）、カメラ、ゲームコンソール、タブレット、スマートデバイス、ウェアラブルデバイス、または、他の任意の同様に機能するデバイスを含む。ＵＥ１０４はまた、局、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または、この他いくつかの適切な用語として称され得る。
【００２２】
[0031]図１を再び参照して示すように、いくつかの態様では、ＵＥ１０４は、第１のサブフレームにおいて第１のＳＡ情報を送信し、第１のサブフレームにおいて、第１のデータを送信するように構成され得る。ＵＥ１０４はまた、第２のサブフレームにおいて第２のＳＡ情報を送信するように構成され得る。それに加えて、ＵＥ１０４は、第２のサブフレームにおいて第２のデータを送信するように構成され得る。第１のＳＡ情報は、第１のデータおよび第２のデータに関する情報を含む。たとえば、この情報は、たとえば、第１のデータおよび第２のデータのための時間周波数リソースブロックのように、データがどこに位置しているのかに関する情報であり得る。それに加えて、第２のＳＡ情報送信は、第２のデータに関する情報を含む。たとえば、この情報は、たとえば、第２のデータのための時間周波数リソースブロックのように、データがどこに位置しているのかに関する情報であり得る（１９８）。
【００２３】
[0032]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥでは、フレーム（１０ミリ秒）が、１０個の等しいサイズのサブフレームへ分割され得る。各サブフレームは、２つの連続する時間スロットを含み得る。リソースグリッドは、２つの時間スロットを表すために使用され得、各時間スロットは、（物理ＲＢ（ＰＲＢ）とも称される）１つまたは複数の時間同時（concurrent）リソースブロック（ＲＢ）を含む。リソースグリッドは、複数のリソース要素（ＲＥ）へ分割される。ＬＴＥでは、ノーマルサイクリックプレフィクスの場合、ＲＢは、合計して８４個のＲＥのために、周波数領域における１２個の連続するサブキャリアと、時間領域における７つの連続するシンボル（ＤＬの場合、ＯＦＤＭシンボル、ＵＬの場合、ＳＣ−ＦＤＭＡシンボル）とを含む。拡張サイクリックプレフィクスの場合、ＲＢは、合計して７２個のＲＥのために、周波数領域における１２個の連続するサブキャリアと、時間領域における６つの連続するシンボルとを含む。各ＲＥによって搬送されるビット数は、変調スキームに依存する。
【００２４】
[0033]図２Ａに例示されるように、ＲＥのいくつかは、ＵＥにおけるチャネル推定のために、ＤＬ基準（パイロット）信号（ＤＬ−ＲＳ）を搬送する。ＤＬ−ＲＳは、（しばしば、共通ＲＳとも呼ばれる）セル特有の基準信号（ＣＲＳ）、ＵＥ特有の基準信号（ＵＥ−ＲＳ）、および、チャネル状態情報基準信号（ＣＳＩ−ＲＳ）を含み得る。図２Ａは、（それぞれＲ０、Ｒ１、Ｒ２、およびＲ３として示される）アンテナポート０、１、２、および３のためのＣＲＳ、（Ｒ５として示される）アンテナポート５のためのＵＥ−ＲＳ、および、（Ｒとして示される）アンテナポート１５のためのＣＳＩ−ＲＳを例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が１つ、２つ、または３つのシンボルを占有するかどうかを示す（図２Ｂは、３つのシンボルを占有するＰＤＣＣＨを例示する）制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボルにおいて、４つの連続したＲＥを含む。ＵＥは、ＤＣＩをも搬送するＵＥ特有のエンハンストＰＤＣＣＨ（ｅＰＤＣＣＨ）を用いて構成され得る。ｅＰＤＣＣＨは、２つ、４つ、または８つのＲＢペアを有し得る（図２Ｂは、２つのＲＢペアを図示しており、各サブセットは１つのＲＢペアを含む）。物理ハイブリッド自動再送要求（ＡＲＱ）（ＨＡＲＱ）インジケータチャネル（ＰＨＩＣＨ）はまた、スロット０のシンボル０内にあり、物理アップリンク共有チャネル（ＰＵＳＣＨ）に基づいて、ＨＡＲＱアクノレッジメント（ＡＣＫ）／否定的ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングおよび物理レイヤアイデンティティを決定するために、ＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセルアイデンティティグループ番号を決定するために、ＵＥによって使用される２次同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述のＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅におけるいくつかのＲＢ（a number of RBs）、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通して送信されないブロードシステム情報、および、ページングメッセージを搬送する。
【００２５】
[0034]図２Ｃに例示されるように、ＲＥのいくつかは、ｅＮＢにおいて、チャネル推定のための復調基準信号（ＤＭ−ＲＳ）を搬送する。ＵＥは、それに加えて、サブフレームの最後のシンボルにおいて、サウンディング基準信号（ＳＲＳ）を送信し得る。ＳＲＳは、コム（comb）構造を有し得、ＵＥは、これらコムのうちの１つ上でＳＲＳを送信し得る。ＳＲＳは、ＵＬにおける周波数依存スケジューリングを可能にするために、チャネル品質推定のために、ｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づいて、フレーム内の１つまたは複数のサブフレーム内にあり得る。ＰＲＡＣＨは、サブフレーム内に６つの連続したＲＢペアを含み得る。ＰＲＡＣＨは、ＵＥが、初期システムアクセスを実行し、ＵＬ同期を達成することを可能にする。物理アップリンク制御チャネル（ＰＵＣＣＨ）は、ＵＬシステム帯域幅のエッジ（edges）に位置し得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックのようなアップリンク制御情報（ＵＣＩ）を搬送する。ＰＵＳＣＨは、データを搬送し、それに加えて、バッファステータスレポート（ＢＳＲ）、電力ヘッドルームレポート（ＰＨＲ）、および／またはＵＣＩを搬送するために使用され得る。
【００２６】
[0035]図３は、アクセスネットワークにおいてＵＥ３５０と通信しているｅＮＢ３１０のブロック図である。ＤＬでは、ＥＰＣ１６０からのＩＰパケットが、コントローラ／プロセッサ３７５へ提供され得る。コントローラ／プロセッサ３７５は、レイヤ３およびレイヤ２機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（たとえば、ＭＩＢ、ＳＩＢ）、ＲＲＣ接続制御（たとえば、ＲＲＣ接続ページング、ＲＲＣ接続確立、ＲＲＣ接続修正、およびＲＲＣ接続解放）、無線アクセス技術（ＲＡＴ）間モビリティ、および、ＵＥ測定レポーティングのための測定設定のブロードキャストに関連付けられたＲＲＣレイヤ機能、ヘッダ圧縮／伸張、セキュリティ（暗号化、解読、完全性保護、完全性検証）、およびハンドオーバサポート機能に関連付けられたＰＤＣＰレイヤ機能、上位レイヤパケットデータユニット（ＰＤＵ）の転送、ＡＲＱによる誤り訂正、連結、セグメント化、ＲＬＣサービスデータユニット（ＳＤＵ）の再アセンブリ、ＲＬＣデータＰＤＵの再セグメント化、および、ＲＬＣデータＰＤＵの再順序化（reordering）に関連付けられたＲＬＣレイヤ機能、および、論理チャネルとトランスポートチャネルとの間のマッピング、ＭＡＣ  ＳＤＵのトランスポートブロック（ＴＢ）への多重化、ＭＡＣ  ＳＤＵのＴＢからの逆多重化（demultiplexing）、スケジューリング情報レポーティング、ＨＡＲＱによる誤り訂正、優先度ハンドリング、および論理チャネル優先順位付けに関連付けられたＭＡＣレイヤ機能を提供する。
【００２７】
[0036]送信（ＴＸ）プロセッサ３１６および受信（ＲＸ）プロセッサ３７０は、様々な信号処理機能に関連付けられたレイヤ１機能をインプリメントする。レイヤ１は、物理（ＰＨＹ）レイヤを含み、トランスポートチャネルにおける誤り検出、トランスポートチャネルの順方向誤り訂正（ＦＥＣ）コーディング／復号、インタリービング、レートマッチング、物理チャネルへのマッピング、物理チャネルの変調／復調、およびＭＩＭＯアンテナ処理を含み得る。ＴＸプロセッサ３１６は、様々な変調スキーム（たとえば、二位相偏移変調（ＢＰＳＫ）、四位相偏移変調（ＱＰＳＫ）、多値位相偏移変調（Ｍ−ＰＳＫ）、多値直交振幅変調（Ｍ−ＱＡＭ））に基づいて、信号コンステレーションへのマッピングを取り扱う（handles）。コーディングされ変調されたシンボルは、この後、並行ストリームへ分割され得る。各ストリームはこの後、ＯＦＤＭサブキャリアへマッピングされ、時間および／または周波数領域において基準信号（たとえば、パイロット）と多重化され、この後、時間領域ＯＦＤＭシンボルストリームを搬送する物理チャネルを生成するために、逆高速フーリエ変換（ＩＦＦＴ）を使用してともに結合され（combined）得る。ＯＦＤＭストリームは、複数の空間ストリームを生成するために、空間的にプリコードされる。チャネル推定器３７４からのチャネル推定値が、空間処理のみならず、コーディングおよび変調スキームを決定するためにも使用され得る。チャネル推定値は、ＵＥ３５０によって送信されたチャネル状態フィードバックおよび／または基準信号から導出され得る。各空間ストリームはこの後、別個の送信機３１８ＴＸを経由して異なるアンテナ３２０へ提供され得る。各送信機３１８ＴＸは、送信のために、それぞれの空間ストリームを用いてＲＦキャリアを変調し得る。
【００２８】
[0037]ＵＥ３５０では、各受信機３５４ＲＸが、そのそれぞれのアンテナ３５２を通して信号を受信する。各受信機３５４ＲＸは、ＲＦキャリアに変調された情報を復元し、この情報を受信（ＲＸ）プロセッサ３５６へ提供する。ＴＸプロセッサ３６８およびＲＸプロセッサ３５６は、様々な信号処理機能に関連付けられたレイヤ１機能をインプリメントする。ＲＸプロセッサ３５６は、ＵＥ３５０へ向けられた任意の空間ストリームを復元するために、この情報に対して空間処理を実行し得る。複数の空間ストリームが、ＵＥ３５０へ向けられている場合、これらは、ＲＸプロセッサ３５６によって、単一のＯＦＤＭシンボルストリームへ結合され得る。ＲＸプロセッサ３５６は、この後、高速フーリエ変換（ＦＦＴ）を使用して、ＯＦＤＭシンボルストリームを、時間領域から周波数領域へ変換する。周波数領域信号は、ＯＦＤＭ信号の各サブキャリアのための別個のＯＦＤＭシンボルストリームを備える。各サブキャリアにおけるシンボル、および基準信号は、ｅＮＢ３１０によって送信される最も可能性の高い信号コンステレーションポイントを決定することによって復元および復調される。これら軟判定は、チャネル推定器３５８によって計算されたチャネル推定値に基づき得る。これら軟判定は、この後、物理チャネル上でｅＮＢ３１０によってもともと送信されたデータおよび制御信号を復元するために、復号およびデインタリーブされる。データおよび制御信号は、この後、コントローラ／プロセッサ３５９へ提供され、それは、レイヤ３およびレイヤ２機能をインプリメントする。
【００２９】
[0038]コントローラ／プロセッサ３５９は、プログラムコードおよびデータを記憶するメモリ３６０に関連付けられることができる。メモリ３６０は、コンピュータ読取可能な媒体と称され得る。ＵＬでは、コントローラ／プロセッサ３５９は、ＥＰＣ１６０からのＩＰパケットを復元するために、トランスポートチャネルと論理チャネルとの間の逆多重化、パケット再アセンブリ、解読、ヘッダ伸張、および制御信号処理を提供する。コントローラ／プロセッサ３５９はまた、ＨＡＲＱ動作をサポートするために、ＡＣＫおよび／またはＮＡＣＫプロトコルを使用して、誤り検出を担当する。
【００３０】
[0039]ｅＮＢ３１０によるＤＬ送信に関連して説明された機能と同様に、コントローラ／プロセッサ３５９は、システム情報（たとえば、ＭＩＢ、ＳＩＢ）獲得、ＲＲＣ接続、および測定レポーティングに関連付けられたＲＲＣレイヤ機能、ヘッダ圧縮／伸張、セキュリティ（暗号化、解読、完全性保護、完全性検証）に関連付けられたＰＤＣＰレイヤ機能、上位レイヤＰＤＵの転送、ＡＲＱによる誤り訂正、連結、セグメント化、ＲＬＣ  ＳＤＵの再アセンブリ、ＲＬＣデータＰＤＵの再セグメント化、および、ＲＬＣデータＰＤＵの再順序化に関連付けられたＲＬＣレイヤ機能、および、論理チャネルとトランスポートチャネルとの間のマッピング、ＭＡＣ  ＳＤＵのＴＢへの多重化、ＭＡＣ  ＳＤＵのＴＢからの逆多重化、スケジューリング情報レポーティング、ＨＡＲＱによる誤り訂正、優先度ハンドリング、および論理チャネル優先順位付けに関連付けられたＭＡＣレイヤ機能を提供する。
【００３１】
[0040]ｅＮＢ３１０によって送信されたフィードバックまたは基準信号から、チャネル推定器３５８によって導出されたチャネル推定値が、適切なコーディングスキームおよび変調スキームを選択するために、および、空間処理を容易にするために、ＴＸプロセッサ３６８によって使用され得る。ＴＸプロセッサ３６８によって生成される空間ストリームは、別個の送信機３５４ＴＸを経由して、異なるアンテナ３５２へ提供され得る。各送信機３５４ＴＸは、送信のために、それぞれの空間ストリームを用いてＲＦキャリアを変調し得る。
【００３２】
[0041]ＵＬ送信は、ＵＥ３５０において、受信機機能に関連して説明されたものと同様の方式でｅＮＢ３１０において処理される。各受信機３１８ＲＸは、それのそれぞれのアンテナ３２０を通して信号を受信する。各受信機３１８ＲＸは、ＲＦキャリアに変調された情報を復元し、この情報を、ＲＸプロセッサ３７０へ提供する。
【００３３】
[0042]コントローラ／プロセッサ３７５は、プログラムコードおよびデータを記憶するメモリ３７６に関連付けられることができる。メモリ３７６は、コンピュータ読取可能な媒体と称され得る。ＵＬでは、コントローラ／プロセッサ３７５は、ＵＥ３５０からのＩＰパケットを復元するために、トランスポートチャネルと論理チャネルとの間の逆多重化、パケット再アセンブリ、解読、ヘッダ伸張、制御信号処理を提供する。コントローラ／プロセッサ３７５からのＩＰパケットは、ＥＰＣ１６０へ提供され得る。コントローラ／プロセッサ３７５はまた、ＨＡＲＱ動作をサポートするために、ＡＣＫおよび／またはＮＡＣＫプロトコルを使用して誤り検出を担当する。
【００３４】
[0043]図４は、ビークルツービークル（Ｖ２Ｖ）通信システム４６０の図である。Ｖ２Ｖ通信システム４６０は、ビークル内に複数のＵＥ４６４、４６６、４６８、４７０を含む。Ｖ２Ｖ通信システム４６０は、たとえばＷＷＡＮのようなセルラ通信システムとオーバラップし得る。（ＵＥ４６４、４６６、４６８、４７０を使用する）ビークルのいくつかは、ＤＬ／ＵＬ  ＷＷＡＮスペクトルを使用して、Ｖ２Ｖ通信でともに通信し得、いくつかは、基地局４６２と通信し得、いくつかは、両方を行い得る。たとえば、図４に図示されるように、ＵＥ４６８およびＵＥ４７０は、Ｖ２Ｖ通信しており、ＵＥ４６４およびＵＥ４６６は、Ｖ２Ｖ通信している。ＵＥ４６４およびＵＥ４６６はまた、基地局４６２とも通信している。Ｖ２Ｖ通信は、物理サイドリンクブロードキャストチャネル（ＰＳＢＣＨ）、物理サイドリンクディスカバリチャネル（ＰＳＤＣＨ）、物理サイドリンク共有チャネル（ＰＳＳＣＨ）、および物理サイドリンク制御チャネル（ＰＳＣＣＨ）のような１つまたは複数のサイドリンクチャネルを通し得る。
【００３５】
[0044]以下に議論される典型的な方法および装置は、たとえば、ＩＥＥＥ８０２．１１規格に基づくＦｌａｓｈＬｉｎＱ、ＷｉＭｅｄｉａ、Ｂｌｕｅｔｏｏｔｈ（登録商標）、ＺｉｇＢｅｅ（登録商標）、またはＷｉ−Ｆｉに基づくワイヤレスデバイスツーデバイス通信システムのような様々なワイヤレスＶ２Ｖ通信システムのいずれかに適用可能である。議論を単純にするために、典型的な方法および装置が、ＬＴＥのコンテキスト内で議論される。しかしながら、当業者であれば、典型的な方法および装置は、様々な他のワイヤレスデバイスツーデバイス通信システムへより一般的に適用可能であることを理解するであろう。
【００３６】
[0045]図５は、ライセンスされた帯域におけるＬＴＥダイレクト（ＬＴＥ−Ｄ）トラフィック設計を例示する図５００である。ＬＴＥダイレクトは、２つのＵＥが、ネットワークを経由せず、ＬＴＥを経由してダイレクトに通信するデバイスツーデバイス（Ｄ２Ｄ）（またはＶ２Ｖ）通信を可能にするＬＴＥバージョンである。たとえば、図４に例示されるように、ワイヤレスデバイス４６８、４７０は、基地局４６２を使用せずに、ダイレクトに通信し得る。ＬＴＥ−Ｄ２Ｄは、リリース１２において標準化された。ＬＴＥ−Ｄにおいて標準化されたコンポーネントのうちの１つは、ライセンスされた帯域におけるＤ２Ｄ通信であった。ＬＴＥ−Ｄ通信は、スケジューリング割当（ＳＡ）情報５０２、５０４およびデータ送信５０６、５０８を含み得る。ＳＡ情報５０２、５０４は、制御情報の送信のために使用され得る。図５では、横線５１０が時間を表す。グラフの縦軸（ｙ軸は例示されていない）は周波数を表す。図５は、ＳＡ情報５０２、５０４が送信され得る２つの時間を例示する。ＵＥ１およびＵＥ２は各々、２つの時間中にＳＡ情報５０２、５０４を送信する。図５は、データ送信５０６、５０８が生じ得る時間の２つのセットを例示する。図５の例では、データ送信５０６、５０８は各々、６つのサブフレームを含む。ＵＥ１およびＵＥ２は、たとえば、データ送信５０６、５０８のための６つのサブフレームの各々の間、図５に例示された様々な時間においてデータを送信し得る。
【００３７】
[0046]いくつかの例において、ネットワークは、各チャネルのために別個のリソースを予約し得る。別個のリソースのこれらプールは、たとえば、図５に例示されるように、周期的に生じ得る。たとえば、各チャネルのための別個のリソースの各々は、一定間隔で生じ得る。他の例では、各チャネルのための別個のリソースの各々は、時々であるが、周期的な間隔である必要なく生じ得る。データ送信５０６、５０８の前に、たとえばＵＥ１またはＵＥ２のようなＵＥは、このＵＥのリソースプールにおいて、ＳＡ情報５０２、５０４をブロードキャストする必要があり得る。ＳＡ情報５０２、５０４は、たとえばＵＥ２またはＵＥ１のようなＵＥを送信することによって送信されているデータに関して学習するために、たとえばＵＥ１またはＵＥ２のような他のＵＥによって使用され得る。たとえば、ＳＡ情報５０２、５０４は、データ送信の時間、データ送信の周波数、データ送信のロケーション、データ送信の変調、データ送信のコーディングスキームのような情報、および、データ送信、他のＳＡ情報送信、またはこれら両方に関連する他の情報を含み得る。
【００３８】
[0047]データ送信５０６、５０８のために使用されるリソースの時間情報を示すために、ＳＡ情報５０２、５０４は、時間領域リソース送信パターン（Ｔ−ＲＰＴ）と呼ばれるフィールドを含み得る。Ｔ−ＲＰＴは、データ送信のために使用されるすべての時間リソースの時間における位置を示し得るビットマップへマッピングされ得る数であり得る。Ｔ−ＲＰＴを使用して、たとえばＵＥ１またはＵＥ２のような受信ＵＥは、たとえば、データが送信５０６、５０８に存在するところのような、関連付けられたデータをどこで発見するのかを学習し得る。図５は、データ送信５０６、５０８のために使用される時間リソースの時間における例示的な位置を例示する。図５に例示されるように、ＵＥ１およびＵＥ２は各々、ＳＡリソースプールにおいてＳＡ情報５０２、５０４を送信し得、この後、Ｔ−ＲＰＴパターンに従って、データリソースプールにおける送信５０６、５０８においてデータを送信し得る。
【００３９】
[0048]ビークルツービークル（Ｖ２Ｖ）アプリケーションのようなビークルツーｘ（Ｖ２Ｘ）アプリケーションのコンテキストにおいて、ビークルは、高い移動速度、高い密度、またはこれらの両方を有し得る。高い移動速度および高い密度は各々、レガシー設計が使用されるとき、通信システムのパフォーマンスを著しく低下させ得る。高い移動速度および高い密度は各々、２つの主な理由で、通信システムのパフォーマンスを著しく低下させ得る。第１に、各送信は、顕著な帯域内エミッションへ導き得る。第２に、通信送信は、ＳＡ情報送信における持続的な干渉を引き起こし得る。リリース１２では、ＳＡ情報送信は、持続的な衝突に導き得る決定論的なホッピングパターンを使用する。異なる周波数ではなく同じ周波数において、たとえばＳＡ情報５０２のように、同じ第１のＳＡリソースを選択する、たとえばＵＥ１またはＵＥ２のような２つのＵＥは、第２のデータ送信のためにも、同じリソース上で送信するであろう。（図５は、異なる周波数の使用を例示する。）たとえばＵＥ１またはＵＥ２のような２つのＵＥが、同じ第１のＳＡリソースを選択し、同じリソース上で送信するとき、たとえばＵＥ１またはＵＥ２のようなＵＥの１つまたは複数のＳＡ情報が、たとえばＵＥ２またはＵＥ１のような１つまたは複数の他のＵＥによってそれぞれ復号可能ではないことがある。ＳＡ情報５０２および５０４が復号されないとき、データもまた復号されることができない。
【００４０】
[0049]図６は、本明細書に説明されたシステムおよび方法に従って、同じサブフレーム６０２、６０４、６０６、６０８を使用して送信されたＳＡ情報、ＳＡ０、ＳＡ１、ＳＡ２、ＳＡ３と、データＤａｔａ０、Ｄａｔａ１、Ｄａｔａ２、Ｄａｔａ３の例を例示する図６００である。さらに詳しくは、図６に例示された例では、Ｄａｔａ０とＳＡ０は、同じサブフレーム中にあり、ＳＡ１とＤａｔａ１は同じサブフレーム中にあり、ＳＡ２とＤａｔａ２は同じサブフレーム中にあり、ＳＡ３とＤａｔａ３は同じサブフレーム中にある。２つのＵＥが同じ第１のＳＡリソースを選択したときに生じ得る、データの復号ができないことを埋め合わせる（counter）ために、ＳＡ情報ＳＡ０、ＳＡ１、ＳＡ２、ＳＡ３およびデータＤａｔａ０、Ｄａｔａ１、Ｄａｔａ２、Ｄａｔａ３は、図６に例示されるように、同じサブフレーム６０２、６０４、６０６、６０８において送信され得る。同じサブフレーム６０２、６０４、６０６、６０８においてＳＡ情報ＳＡ０、ＳＡ１、ＳＡ２、ＳＡ３およびデータＤａｔａ０、Ｄａｔａ１、Ｄａｔａ２、Ｄａｔａ３を送信することは、システムにおける全体的な帯域内エミッションを低減し得、それは、送信が生じるサブフレームの数が、６つのサブフレームから、４つのサブフレーム６０２、６０４、６０６、６０８へ低減されるからである。
【００４１】
[0050]いくつかの例では、ＳＡ情報ＳＡ０、ＳＡ１、ＳＡ２、ＳＡ３およびデータＤａｔａ０、Ｄａｔａ１、Ｄａｔａ２、Ｄａｔａ３は、隣接または非隣接のいずれかのリソースブロック（ＲＢ）上で送信され得る。ＳＡ情報ＳＡ０、ＳＡ１、ＳＡ２、ＳＡ３およびデータＤａｔａ０、Ｄａｔａ１、Ｄａｔａ２、Ｄａｔａ３は、マルチクラスタ単一キャリア周波数分割多元接続（ＳＣ−ＦＤＭＡ）送信を使用して送信され得る。同じサブフレームにおいて非隣接リソースブロックでＳＡ情報およびデータを送信することは、より顕著なリンクバジェットインパクトを有し得る。
【００４２】
[0051]一例では、ＳＡ情報ＳＡ０、ＳＡ１、ＳＡ２、ＳＡ３は、たとえば同じサブフレーム上で、すべてのデータＤａｔａ０、Ｄａｔａ１、Ｄａｔａ２、Ｄａｔａ３送信のために送信され得る。たとえば、ＳＡ情報ＳＡ０、ＳＡ１、ＳＡ２、ＳＡ３は、データＤａｔａ０、Ｄａｔａ１、Ｄａｔａ２、Ｄａｔａ３送信を含むすべてのサブフレームのために送信され得る。ＳＡリソース／サブフレームは、データスロットが選択されるのと同じ方式でランダムに選択され得る。ＳＡリソース／サブフレームをランダムに選択することは、持続的なＳＡ衝突を回避し得る。さらに、ＳＡ情報ＳＡ０、ＳＡ１、ＳＡ２、ＳＡ３は、送信の数のような情報を含み得る。たとえば、たとえばＳＡ０のような第１のＳＡ情報は、自身を第１のＳＡ情報として識別し得、ＳＡ０と同じサブフレームにおけるデータＤａｔａ０送信と、後続するサブフレームにおけるＤａｔａ１、Ｄａｔａ２、Ｄａｔａ３送信とを示し得る。たとえばＳＡ１のような第２のＳＡ情報は、自身を第２のＳＡ情報として識別し得、たとえば、時間および周波数におけるＤａｔａ１、Ｄａｔａ２、Ｄａｔａ３の送信ロケーションを示すように、データＤａｔａ１、Ｄａｔａ２、Ｄａｔａ３送信を示し得る。
【００４３】
[0052]たとえば６０２のような第１のサブフレーム中に、自身を第１のＳＡ情報送信として識別し、サブフレーム６０２および後続するサブフレーム６０４、６０６、６０８におけるデータ送信を示すたとえばＳＡ０のような第１のＳＡ情報送信と、たとえば６０４のような第２のサブフレーム中に、自身を第２のＳＡ情報送信として識別し、サブフレーム６０４および後続するサブフレーム６０６、６０８におけるデータを示すたとえばＳＡ１のような第２のＳＡ情報送信とを使用することは、受信機が、複数のデータ送信を結合することを可能にするであろう。複数のデータ送信の結合は、インクリメント冗長（incrementally redundant）である、たとえば部分的に冗長であるか、または、チェイス結合される（chase combined）、たとえば以前に送信されたデータの冗長コピーであるかのいずれかであり得る。
【００４４】
[0053]一例において、ＵＥは、完全なデータパターンを送信するために、ＳＡ情報送信を使用し得るが、現在の送信番号（current transmission number）のインジケータの付加を伴う。別の例では、本明細書で説明される方法をインプリメントするシステムは、ＳＡ情報送信の送信番号を決定するために、データ送信のシステムフレーム番号（ＳＦＮ）番号（または、他のいくつかのタイミング情報）を使用し得る。受信ＵＥはまた、現在のデータ送信の送信番号を決定するために、現在のＳＦＮまたは他のタイミング情報を使用し得る。一例が、図６に例示されており、ここでは、たとえば、ＳＡ０が、データ送信番号０〜３を示している。ＳＡ１は、たとえば、１〜３等のデータ送信番号を示す。
【００４５】
[0054]図６に例示される例では、４つのＳＡ情報送信、すなわち、ＳＡ情報の４つの送信と、４つのデータ送信、すなわち、データの４つの送信とがある。それに加えて、４つのＳＡ情報送信および４つのデータ送信は各々、図６に例示されるように、同じサブフレーム６０２、６０４、６０６、６０８においてともにペアとされる（paired）。言い換えれば、図６に例示された例では、ＳＡ０が、サブフレーム６０２においてＤａｔａ０とペアとされ、ＳＡ１が、サブフレーム６０４においてＤａｔａ１とペアとされ、ＳＡ２が、サブフレーム６０６においてＤａｔａ２とペアとされ、ＳＡ３が、サブフレーム６０８においてＤａｔａ３とペアとされる。図６の例示された例では、ＳＡ情報送信の番号／データ送信のペアは４、すなわちｎ＝４である。本明細書で説明されるシステムおよび方法は、ｎ≧２のＳＡ情報送信／データ送信のペアのために適用され得る。それに加えて、ＳＡ情報送信は、現在のデータ送信、現在のＳＡ情報送信、１つまたは複数の将来のデータ送信、および／または、１つまたは複数の将来のＳＡ情報送信に関する情報を含み得る。
【００４６】
[0055]たとえば、図６に例示されるように、ｎ＝４であるとき、第１のＳＡ情報ＳＡ０は、ＳＡ０、Ｄａｔａ０、ＳＡ１、Ｄａｔａｌ、ＳＡ２、Ｄａｔａ２、ＳＡ３、またはＤａｔａ３に関する情報を含み得る。第２のＳＡ情報ＳＡ１は、ＳＡ１、Ｄａｔａ１、ＳＡ２、Ｄａｔａ２、ＳＡ３、またはＤａｔａ３に関する情報を含み得る。（第２のＳＡ情報は、ＳＡ０および／またはＤａｔａ０に関する情報を有し得るが、ＳＡ０およびＤａｔａ０の送信はすでに生じているであろうから、ＳＡ０および／またはＤａｔａ０に関する情報は、何の目的にも役立たないであろう。）第３のＳＡ情報ＳＡ２は、ＳＡ２、Ｄａｔａ２、ＳＡ３、またはＤａｔａ３に関する情報を含み得る。第４のＳＡ情報ＳＡ３は、ＳＡ３またはＤａｔａ３に関する情報を含み得る。
【００４７】
[0056]それに加えて、ｎ≧２を用いた例では、第１のＳＡ情報は、２つ以上（ｎ≧２）のＳＡ情報のうちの１つまたは複数、および／または、２つ以上（ｎ≧２）のデータのうちの１つまたは複数に関する情報を含み得る。したがって、ｎ＝２を用いた例では、第１のＳＡ情報は、２つのＳＡ情報のうちの１つまたは複数、および／または、２つのデータのうちの１つまたは複数に関する情報を含み得る。同様に、ｎ＝５を用いた例では、第１のＳＡ情報は、５つのＳＡ情報のうちの１つまたは複数、および／または、５つのデータのうちの１つまたは複数に関する情報を含み得る。
【００４８】
[0057]一態様では、ＳＡ情報送信は、ローリング方式で（on a rolling basis）、ＳＡ情報送信、データ送信情報、または、これらの両方を含み得る。たとえば、ＳＡ情報は、現在のＳＡ情報送信、現在のデータ送信情報、次のｍ個のＳＡ情報送信、および／または、次のｍ個のデータ送信情報に関する情報を含み得、ここで、ｍ≧１である。たとえば、ｍ＝１であるとき、現在のＳＡ情報送信、現在のデータ送信情報、次のＳＡ情報送信、および／または、次のデータ送信情報が、ＳＡ情報送信に含まれ得る。一態様では、サブフレームの各々は、１つまたは複数のＳＡ情報フィールドと、１つまたは複数のデータフィールドとを含み得る。
【００４９】
[0058]いくつかの例では、ＳＡ情報の送信のために使用される電力と、１つまたは複数のデータを送信するために使用される電力とは、同じであり得る。しかしながら、一般に、ＳＡ情報送信のために使用される電力と、１つまたは複数のデータ送信のために使用される電力とは異なるであろうことが理解されるであろう。同じサブフレームにおける複数のＳＡ情報送信、複数のデータ送信、またはこれらの両方を用いた例では、ＳＡ情報送信の各々のために使用される電力と、１つまたは複数のデータ送信の各々のために使用される電力とは一般に異なり得る。
【００５０】
[0059]図７は、ワイヤレス通信の方法のフローチャート７００である。この方法は、ＵＥ（たとえば、ＵＥ１０４、２０６、６５０、４６４、４６６、４６８、４７０）によって実行され得る。７０２では、ＵＥは、第１のサブフレームにおいて、第１のＳＡ情報を送信する。たとえば、ＵＥ（たとえば、ＵＥ１０４、２０６、６５０、４６４、４６６、４６８、４７０）は、第１のサブフレームにおいて、第１のＳＡ情報送信を送信する。第１のＳＡ情報は、第１のデータ送信の時間、第１のデータ送信の周波数、第１のデータ送信のロケーション、第１のデータ送信の変調、第１のデータ送信のコーディングスキーム、第２のデータ送信の時間、第２のデータ送信の周波数、第２のデータ送信のロケーション、第２のデータ送信の変調、または、第２のデータ送信のコーディングスキームを含み得る。第１のサブフレームにおいて送信される第１のＳＡ情報は、後続するデータの送信のための情報、および／または、後続するサブフレームにおけるＳＡ情報を含み得る。
【００５１】
[0060]いくつかの例において、ＳＡリソース／サブフレームは、ランダムに選択され得る。ＳＡリソース／サブフレームをランダムに選択することは、持続的なＳＡ衝突を回避し得る。さらに、ＳＡ情報は、ＳＡ情報の送信の数のような情報を含み得る。第１のＳＡ情報送信は、第１のデータ送信が、第１のＳＡ情報送信と同じサブフレームにおいて生じること、たとえば、ＳＡ情報を含むサブフレームもまたデータを含むことを示すことができる。たとえば、図６に例示されるように、ＳＡ０およびＤＡＴＡ０は、同じサブフレーム中にあり、ＳＡ１およびＤＡＴＡ１は同じサブフレーム中にあり、ＳＡ２およびＤＡＴＡ２は同じサブフレーム中にあり、また、ＳＡ３およびＤＡＴＡ３は同じサブフレーム中にある。それに加えて、第１のＳＡ情報送信は、後続するサブフレームにおけるデータ部分を示し得る。
【００５２】
[0061]７０４において、ＵＥは、第１のサブフレームにおいて、第１のデータ送信を送信する。たとえば、ＵＥ（たとえば、ＵＥ１０４、２０６、６５０、４６４、４６６、４６８、４７０）は、第１のサブフレームにおいて、第１のデータ送信を送信する。ＳＡ情報およびデータは、隣接または非隣接いずれかのＲＢ上で送信され得る。ＳＡ情報およびデータは、マルチクラスタＳＣ−ＦＤＭＡ送信を使用して送信され得る。一例では、ＳＡ情報は、すべてのデータ送信のために送信され得る。
【００５３】
[0062]７０６において、ＵＥは、第２のサブフレームにおいて、第２のＳＡ情報送信を送信する。たとえば、ＵＥ（たとえば、ＵＥ１０４、２０６、６５０、４６４、４６６、４６８、４７０）は、第２のサブフレームにおいて、第２のＳＡ情報送信を送信する。第２のＳＡ情報は、第２のデータ送信の時間、第２のデータ送信の周波数、第２のデータ送信のロケーション、第２のデータ送信の変調、または、第２のデータ送信のコーディングスキームのみならず、後続するサブフレームにおける後続する送信のための情報を含み得る。
【００５４】
[0063]第１のＳＡ送信に関して上記議論されたように、いくつかの例では、第２のＳＡ情報送信のために、ＳＡリソース／サブフレームがランダムに選択され得る。ＳＡリソース／サブフレームをランダムに選択することは、持続的なＳＡ衝突を回避し得る。さらに、ＳＡ情報は、送信の数のような情報を含み得る。ＳＡ送信およびデータ送信は、たとえば、１、２、３、・・・から、ある最大数ｎまでの、一連の番号を割り当てられ得る。番号ｎは、なされ得るいくつかの任意の、あらかじめ決定された送信の数に基づき得る。番号ｎは、新たな一連の送信の開始時にリセットされ得る。第２のＳＡ情報送信は、第２のＳＡ情報送信が、第２のデータ送信であることを示し得る。それに加えて、第２のＳＡ情報送信は、後続するサブフレームにおいて、サブフレームに関するデータ部分を示し得る。
【００５５】
[0064]最後に、７０８において、第２のサブフレームにおいて、第２のデータを送信する。たとえば、ＵＥ（たとえば、ＵＥ１０４、２０６、６５０、４６４、４６６、４６８、４７０）は、第２のサブフレームにおいて、第２のデータ送信を送信する。第２のＳＡ情報およびデータは、同じサブフレーム上で送信され得る。上述したように、ＳＡ情報およびデータは、コロケートされたまたはコロケートされていない隣接または非隣接のＲＢのいずれか上で送信され得る。ＳＡ情報およびデータは、マルチクラスタＳＣ−ＦＤＭＡ送信を使用して送信され得る。一例では、ＳＡは、すべてのデータ送信のために送信され得る。ＳＡリソース／サブフレームは、データスロットが選択されるのと同じ方式でランダムに選択され得る。ＳＡリソース／サブフレームをランダムに選択することは、持続的なＳＡ衝突を回避する。さらに、ＳＡ情報は、送信の数のような情報を含み得る。たとえば、第１のＳＡ情報送信は、自身を、第１のＳＡ情報送信として識別し得、サブフレームおよび後続するサブフレームにおけるデータ送信を示し得る。したがって、たとえば、第１のＳＡ情報がＳＡ０を称すると仮定すると、ＳＡ０は、ＤＡＴＡ０、ＤＡＴＡ１、ＤＡＴＡ２、ＤＡＴＡ３および他の将来のデータ送信の情報を提供し得る。第２のＳＡ情報送信は、自身を、第２のＳＡ情報送信として識別することができ、サブフレームおよび後続するサブフレームにおけるデータ部分を示すことができる。したがって、たとえば、第２のＳＡ情報がＳＡ１を称すると仮定すると、ＳＡ１は、ＤＡＴＡ１、ＤＡＴＡ２、ＤＡＴＡ３および他の将来のデータ送信の情報を提供し得る。
【００５６】
[0065]第１のＳＡ情報送信は、第１のデータ送信、第２のデータ送信、および他の将来のデータ送信に関する情報を含む。それに加えて、第２のＳＡ情報送信は、第２のデータ送信および他の将来のデータ送信に関する情報を含む。
【００５７】
[0066]いくつかの例では、第１のＳＡ情報は、第１のデータが送信される第１の時間、第１のデータが送信される第１の周波数、第１のデータ送信のロケーション、第１のデータ送信の変調、第１のデータ送信のコーディングスキーム、第２のデータ送信の時間、第２のデータ送信の周波数、第２のデータ送信のロケーション、第２のデータ送信の変調、または、第２のデータ送信のコーディングスキームのうちの少なくとも１つを含み得る。
【００５８】
[0067]いくつかの例では、第２のＳＡ情報は、第２のデータが送信される第２の時間、第２のデータが送信される第２の周波数、第２のデータ送信のロケーション、第２のデータ送信の変調、または、第２のデータ送信のコーディングスキームのうちの少なくとも１つを含む。
【００５９】
[0068]いくつかの例では、第２のデータ送信は、第１のデータ送信のインクリメント冗長である。他の例では、第２のデータ送信は、第１のデータ送信の冗長コピーである。
【００６０】
[0069]いくつかの例では、第１のＳＡ情報送信はさらに、第１のＳＡ情報送信の現在の送信番号のインジケータを含み、第２のＳＡ情報送信はさらに、第２のＳＡ情報送信の現在の送信番号のインジケータを含む。
【００６１】
[0070]いくつかの例では、第１のＳＡ情報送信はさらに、第１のタイミング情報を含み、第２のＳＡ情報送信はさらに、第２のタイミング情報を含む。他の例では、第１のタイミング情報は、第１のシステムフレーム番号（ＳＦＮ）を含み、第２のタイミング情報は、第２のＳＦＮを含む。
【００６２】
[0071]図８は、ワイヤレス通信の方法のフローチャート８００である。この方法は、ＵＥ（たとえば、ＵＥ１０４、２０６、６５０、４６４、４６６、４６８、４７０）によって実行され得る。８０２において、ＵＥは、第３のサブフレームにおいて、第３のＳＡ情報送信を送信する。たとえば、ＵＥ（たとえば、ＵＥ１０４、２０６、６５０、４６４、４６６、４６８、４７０）は、第３のサブフレームにおいて、第３のＳＡ情報送信を送信する。第３のＳＡ情報は、第３のデータ送信の時間、第３のデータ送信の周波数、第３のデータ送信のロケーション、第３のデータ送信の変調、第３のデータ送信のコーディングスキーム、第４のデータ送信の時間、第４のデータ送信の周波数、第４のデータ送信のロケーション、第４のデータ送信の変調、または、第４のデータ送信のコーディングスキームを含み得る。第３のサブフレームにおいて送信される第３のＳＡ情報は、後続するサブフレームにおける後続する送信のための情報を含み得る。
【００６３】
[0072]８０４において、ＵＥは、第３のサブフレームにおいて、第３のデータ送信を送信する。たとえば、ＵＥ（たとえば、ＵＥ１０４、２０６、６５０、４６４、４６６、４６８、４７０）は、第３のサブフレームにおいて、第３のデータ送信を送信する。ＳＡ情報およびデータは、隣接または非隣接いずれかのＲＢ上で送信され得る。ＳＡ情報およびデータは、マルチクラスタＳＣ−ＦＤＭＡ送信を使用して送信され得る。一例では、ＳＡ情報送信は、すべてのデータ送信のために送信され得る。
【００６４】
[0073]８０６において、ＵＥは、第４のサブフレームにおいて、第４のＳＡ情報送信を送信する。たとえば、ＵＥ（たとえば、ＵＥ１０４、２０６、６５０、４６４、４６６、４６８、４７０）は、第４のサブフレームにおいて、第４のＳＡ情報送信を送信する。第４のＳＡ情報は、第４のデータ送信の時間、第４のデータ送信の周波数、第４のデータ送信のロケーション、第４のデータ送信の変調、または、第４のデータ送信のコーディングスキームのみならず、後続するサブフレームにおける後続する送信のための情報を含み得る。
【００６５】
[0074]８０８において、ＵＥは、第４のサブフレームにおいて、第４のデータ送信を送信する。たとえば、ＵＥ（たとえば、ＵＥ１０４、２０６、６５０、４６４、４６６、４６８、４７０）は、第４のサブフレームにおいて、第４のデータ送信を送信する。第４のＳＡ情報およびデータは、同じサブフレーム上で送信され得る。上述したように、ＳＡ情報およびデータは、隣接または非隣接のいずれかのＲＢ上で送信され得る。ＳＡ情報およびデータは、マルチクラスタＳＣ−ＦＤＭＡ送信を使用して送信され得る。一例では、ＳＡは、すべてのデータ送信のために送信され得る。さらに、ＳＡ情報は、送信の数のような情報を含み得る。たとえば、第３のＳＡ情報送信は、自身を、第３のＳＡ情報送信として識別し得、このサブフレームおよび後続するサブフレームにおけるデータ送信を示し得る。第４のＳＡ情報送信は、自身を、第４のＳＡ情報送信として識別することができ、後続するサブフレームにおいて、サブフレームにおけるデータ部分を示すことができる。
【００６６】
[0075]第１のＳＡ情報送信は、第１のデータ送信、第２のデータ送信、第３のデータ送信、および第４のデータ送信に関するデータを含む。第２のＳＡ情報送信は、第２のデータ送信、第３のデータ送信、および第４のデータ送信に関する情報を含む。第３のＳＡ情報送信は、第３のデータ送信、および第４のデータ送信に関する情報を含む。第４のＳＡ情報送信は、第４のデータ送信に関する情報を含む。
【００６７】
[0076]８１０において、ＵＥは、第１のＳＡ情報または第２のＳＡ情報のうちの少なくとも１つのための時間スロットをランダムに選択する。たとえば、ＵＥ（たとえばＵＥ１０４、２０６、６５０、４６４、４６６、４６８、４７０）は、第１のＳＡ情報または第２のＳＡ情報のうちの少なくとも１つのための時間スロットをランダムに選択する。ＳＡリソース／サブフレームは、データスロットが選択されるのと同じ方式でランダムに選択され得る。ＳＡリソース／サブフレームをランダムに選択することは、持続的なＳＡ衝突を回避する。
【００６８】
[0077]図９は、典型的な装置９０２における異なる手段／コンポーネント間のデータフローを例示する概念的なデータフロー図９００である。装置は、ＵＥであり得る。装置は、ＳＡを送信する一連の送信ＳＡコンポーネント９０６と、データを送信する送信データ送信コンポーネント９０８と、時間スロットを選択する時間スロット選択コンポーネント９１２とを含む。装置９０２は、ｅＮＢ９５０から送信９５２を受信し、ｅＮＢ９５０へ送信９５４を送信する。受信コンポーネント９０４は、接続９５６を使用して、送信データ送信コンポーネント９０８へデータを渡し得る。受信コンポーネント９０４は、接続９５８を使用して、送信ＳＡ送信コンポーネント９０８へデータを渡し得る。受信コンポーネント９０４は、接続９６６を使用して、送信コンポーネント９１０へデータを渡し得る。送信ＳＡコンポーネント９０６は、接続９６０を使用して、時間スロット選択コンポーネント９１２と、データを送信および受信し得る。送信ＳＡコンポーネント９０６は、接続９６２を使用して、送信コンポーネント９１０へデータを渡し得る。送信第１のデータコンポーネント９０８は、接続９６４を使用して、送信コンポーネント９１０へデータを渡し得る。
【００６９】
[0078]装置は、図７〜図８の前述のフローチャートにおけるアルゴリズムのブロックの各々を実行する追加のコンポーネントを含み得る。このため、図７〜図８の前述のフローチャートにおける各ブロックは、コンポーネントによって実行され得、装置は、これらコンポーネントのうちの１つまたは複数を含み得る。これらコンポーネントは、述べられた処理／アルゴリズムを実行するように具体的に構成された１つまたは複数のハードウェアコンポーネントであり得、述べられた処理／アルゴリズムを実行するように構成されたプロセッサによってインプリメントされ得、プロセッサによるインプリメンテーションのためにコンピュータ読取可能な媒体内に記憶され得るか、またはそれらのいくつかの組合せであり得る。
【００７０】
[0079]図１０は、処理システム１０１４を適用する装置９０２’のためのハードウェアインプリメンテーションの例を例示する図１０００である。処理システム１０１４は、一般にバス１０２４によって表されるバスアーキテクチャとともにインプリメントされ得る。バス１０２４は、処理システム１０１４の特定のアプリケーションと、全体的な設計制約とに依存して、任意の数の相互接続バスおよびブリッジを含み得る。バス１０２４は、プロセッサ１００４、コンポーネント９０６、９０８、９１２、およびコンピュータ読取可能な媒体／メモリ１００６によって表される、１つまたは複数のプロセッサおよび／またはハードウェアコンポーネントを含む様々な回路をともにリンクする。バス１０２４はまた、タイミングソース、周辺装置、電圧調整器、および電力管理回路のような他の様々な回路をもリンクし得、これらは、当該技術分野において周知であるので、さらに説明されることはないであろう。
【００７１】
[0080]処理システム１０１４は、トランシーバ１０１０へ結合され得る。トランシーバ１０１０は、１つまたは複数のアンテナ１０２０へ結合される。トランシーバ１０１０は、送信媒体を介して他の様々な装置と通信するための手段を提供する。トランシーバ１０１０は、１つまたは複数のアンテナ１０２０から信号を受信し、受信された信号から情報を抽出し、抽出された信号を、処理システム１０１４、特に、受信コンポーネント９０４へ提供する。それに加えて、トランシーバ１０１０は、処理システム１０１４、特に、送信コンポーネント９０８から情報を受信し、受信した情報に基づいて、１つまたは複数のアンテナ１０２０適用されるべき信号を生成する。処理システム１０１４は、コンピュータ読取可能な媒体／メモリ１００６へ結合されたプロセッサ１００４を含む。プロセッサ１００４は、コンピュータ読取可能な媒体／メモリ１００６上に記憶されたソフトウェアの実行を含む一般的な処理を担当する。ソフトウェアは、プロセッサ１００４によって実行されるとき、処理システム１０１４に、任意の特定の装置のために、以前に説明された様々な機能を実行させる。コンピュータ読取可能な媒体／メモリ１００６はまた、ソフトウェアを実行しているとき、プロセッサ１００４によって操作されているデータを記憶するために使用され得る。処理システム１０１４はさらに、コンポーネント９０６、９０８、９１２のうちの少なくとも１つを含む。コンポーネントは、コンピュータ読取可能な媒体／メモリ１００６に常駐／記憶され、プロセッサ１００４において実行しているソフトウェアコンポーネント、プロセッサ１００４へ結合された１つまたは複数のハードウェアコンポーネント、または、それらのいくつかの組合せであり得る。処理システム１０１４は、ＵＥ３５０のコンポーネントであり得、メモリ３６０、および／または、ＴＸプロセッサ３６８、ＲＸプロセッサ３５６、およびコントローラ／プロセッサ３５９のうちの少なくとも１つを含み得る。
【００７２】
[0081]１つの構成では、ワイヤレス通信のための装置９０２／９０２’は、第１のサブフレームにおいて、第１のＳＡ情報送信を送信するための手段を含む。それに加えて、ワイヤレス通信のための装置９０２／９０２’は、第１のサブフレームにおいて、第１のデータを送信するための手段を含む。ワイヤレス通信のための装置９０２／９０２’はまた、第２のサブフレームにおいて、第２のＳＡ情報送信を送信するための手段を含む。それに加えて、ワイヤレス通信のための装置９０２／９０２’は、第２のサブフレームにおいて、第２のデータを送信するための手段を含む。
【００７３】
[0082]別の構成では、ワイヤレス通信のための装置９０２／９０２’は、第３のサブフレームにおいて、第３のＳＡ情報送信を送信するための手段を含み得る。ワイヤレス通信のための装置９０２／９０２’はまた、第３のサブフレームにおいて、第３のデータ送信を送信するための手段を含み得る。それに加えて、ワイヤレス通信のための装置９０２／９０２’は、第４のサブフレームにおいて、第４のＳＡ情報送信を送信するための手段を含み得る。ワイヤレス通信のための装置９０２／９０２’はまた、第４のサブフレームにおいて、第４のデータ送信を送信するための手段を含み得る。
【００７４】
[0083]別の構成では、ワイヤレス通信のための装置９０２／９０２’は、第１のＳＡ情報または第２のＳＡ情報のうちの少なくとも１つのための時間スロットをランダムに選択するための手段を含み得る。
【００７５】
[0084]前述の手段は、前述の手段によって記述された機能を実行するように構成された、装置９０２の前述のコンポーネント、および／または、装置９０２’の処理システム１０１４のうちの１つまたは複数であり得る。以前に説明されたように、処理システム１０１４は、ＴＸプロセッサ３６８、ＲＸプロセッサ３５６、および、コントローラ／プロセッサ３５９を含み得る。このため、１つの構成では、前述の手段は、ＴＸプロセッサ３６８、ＲＸプロセッサ３５６、および、前述の手段によって記述された機能を実行するように構成されたコントローラ／プロセッサ３５９であり得る。
【００７６】
[0085]開示された処理／フローチャートにおけるブロックの特定の順序または階層は、典型的なアプローチの例示であることが理解される。設計プリファレンスに基づいて、処理／フローチャートにおけるブロックの特定の順序または階層は、再構成され得ることが理解される。さらに、いくつかのブロックが、結合または省略され得る。添付の方法請求項は、様々なブロックの要素をサンプルの順序で提示し、提示された特定の順序または階層に限定されることは意図されていない。
【００７７】
[0086]以前の説明は、当業者が、本明細書で説明された様々な態様を実現することを可能にするために提供される。これら態様に対する様々な修正は、当業者へ容易に明白になるであろう。そして、本明細書で定義された一般的な原理は、他の態様へ適用され得る。したがって、特許請求の範囲は、本明細書に示された態様に限定されるとは意図されず、特許請求の範囲の文言と整合した全範囲を与えられるものとし、ここにおいて、単数形における要素への参照が、そうであると具体的に述べられていないのであれば、「１つおよび１つのみ」を意味することは意図されておらず、むしろ「１つまたは複数」を意味することが意図される。「典型的」という用語は、「例、事例、または例示として役立つ」ことを意味するために本明細書で使用される。「典型的」として本明細書で説明されたいずれの態様も、他の態様よりも好適または有利であると必ずしも解釈される必要はない。特に明記されていない限り、「いくつか」という用語は、１つまたは複数を称する。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および、「Ａ、Ｂ、Ｃ」のような組合せ、または、これらの任意の組合せは、Ａ、Ｂ、および／またはＣからなる任意の組合せを含み、Ａの倍数、Ｂの倍数、またはＣの倍数を含み得る。具体的に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ」のような組合せ、または、これらの任意の組合せは、Ａのみ、Ｂのみ、Ｃのみ、ＡおよびＢ、ＡおよびＣ、ＢおよびＣ、または、ＡとＢとＣであり得、このようなどの組合せも、Ａ、Ｂ、またはＣのうちの１つまたは複数のメンバを含み得る。当業者に知られているか、または、後に知られるようになるこの開示を通じて説明された様々な態様の要素に対するすべての構造的および機能的な等価物が、参照によって本明細書に明確に組み込まれており、特許請求の範囲に包含されると意図される。さらに、本明細書で開示されたいずれも、このような開示が特許請求の範囲において明示的に述べられているか否かに関わらず、公衆に対してささげられたものとは意図されていない。「モジュール」、「メカニズム」、「要素」、「デバイス」等の用語は、「手段」という用語を代替しないことがある。このため、どの特許請求の範囲の要素も、「ための手段」という文言を使用して明確に記述されていないのであれば、ミーンズプラスファンクションとして解釈されるべきではない。
【図１】
2018537055.tif 000003
【図２Ａ】
2018537055.tif 000004
【図２Ｂ】
2018537055.tif 000005
【図２Ｃ】
2018537055.tif 000006
【図２Ｄ】
2018537055.tif 000007
【図３】
2018537055.tif 000008
【図４】
2018537055.tif 000009
【図５】
2018537055.tif 000010
【図６】
2018537055.tif 000011
【図７】
2018537055.tif 000012
【図８】
2018537055.tif 000013
【図９】
2018537055.tif 000014
【図１０】
2018537055.tif 000015
【国際調査報告】
2018537055.tif 000016
2018537055.tif 000017
2018537055.tif 000018